(57)【要約】  チューブ(１０)は、ヘッド部(１６)とキャップ（７２）との間の空所内へ水が浸入するのを防ぐ。チューブ容器(１０)は、本体壁(１２)およびヘッド部(１６)を有する。本体壁(１２)は、内部にチャンバ(１４)を構成している。ヘッド部(１６)は肩部(１８)を有し、この肩部を貫いてチャンバ(１４)と連絡するオリフィスが設けてある。肩部(１８)は、その周縁に隣接したところから延びる隆起（２４）を有する。キャップをヘッド部に取り付けたときに、隆起（２４）は、実質的に水の浸入を阻止する。
2005514274.tif 000002
【特許請求の範囲】
【請求項１】
ａ）内部にチャンバを構成している本体壁と、ｂ）肩部を有するヘッド部とを含み、肩部が、それを貫いてチャンバと連絡するオリフィスを有し、肩部が、さらに、その周縁に隣接したところから延びる隆起を有するチューブ容器。
【請求項２】
ヘッド部が、さらに、肩部から延びるネック部を含み、このネック部にはオリフィスが設けてあり、このオリフィスおよびチャンバと連絡するようにネック部を貫いて孔が設けてある、請求項１に記載のチューブ。
【請求項３】
隆起がネック部より肩部の周縁に近いところにある、請求項２に記載のチューブ。
【請求項４】
隆起が肩部まわりに連続的に延びている、請求項３に記載のチューブ。
【請求項５】
クロージャを含み、このクロージャが肩部の周縁とほぼ同じ形状を有する接触縁を有する、請求項４に記載のチューブ。
【請求項６】
クロージャが雌ねじを有し、ネック部がクロージャの雌ねじを受けるようになっている雄ねじを有する、請求項４に記載のチューブ。
【請求項７】
クロージャを肩部と係合させたときに、クロージャの接触縁が隆起の内側に隣接して位置する、請求項４に記載のチューブ。
【請求項８】
クロージャが肩部と係合する、請求項４に記載のチューブ。
【請求項９】
肩部がほぼ円形となっており、隆起がほぼ円形となっている、請求項１に記載のチューブ。
【請求項１０】
クロージャが肩部と係合し、このときに、クロージャの接触縁が隆起の内側に隣接して位置する、請求項６に記載のチューブ。
【請求項１１】
クロージャが雌ねじを有し、ネック部がクロージャの雌ねじを受けるようになっている雄ねじを有する、請求項１０に記載のチューブ。
【請求項１２】
肩部がほぼ円形となっており、隆起がほぼ円形となっている、請求項１１に記載のチューブ。
【請求項１３】
隆起がヘッド部の残りの部分と異なった色となっている、請求項１２に記載のチューブ。
【請求項１４】
隆起が肩部まわりに連続的に延びている、請求項１３に記載のチューブ。
【請求項１５】
隆起が肩部まわりに連続的に延びている、請求項１に記載のチューブ。
【発明の詳細な説明】
【技術分野】
【０００１】
本発明は、肩部とキャップとの間にある空所への水の浸入を防ぐチューブ容器に関する。このチューブ容器は、水浸しの環境、たとえば、シャワーまたは浴槽で特に役立つ。
【背景技術】
【０００２】
チューブ容器というのは、普通、シャワーまたは浴槽で便利に使える消費製品を分けるときに使用される。このような製品としては、シャンプー、コンディショナー、身体洗浄液、泡立て入浴剤、整髪クリームおよび整髪ジェルなどがある。
【発明の開示】
【発明が解決しようとする課題】
【０００３】
シャワーまたは浴槽でチューブ容器を使用するときに生じる広く知られている問題は、キャップとヘッド部との間の空所へ水が浸入することである。このような水の浸入は、チューブ容器をそのキャップを下にして逆さまに立てたとき、すなわち、たいていのチューブ容器にとっては通常置かれている、または保管されている状態にあるときに起きる。キャップと肩部との間の隙間が、はねかけられたり吹き付けられたりした水にさらされるので、キャップと肩部との間の空所が部分的または完全に水で満たされるのである。その後消費者がチューブ容器を取り上げたとき、空所内の水が消費者の手の上にこぼれ出ることが多い。
【０００４】
シャワーまたは浴槽内での水の浸入を防ぐチューブ容器があると望ましいであろう。さらに、シャワーまたは浴槽内で保管しているときに水を溜め込むことのないチューブ容器があると望ましいであろう。
【課題を解決するための手段】
【０００５】
本発明によれば、チューブ容器は、ヘッド部とキャップとの間の空所に水が浸入するのを防ぐことができる。このチューブ容器は、本体壁とヘッド部とを有する。本体壁は、内部にチャンバを構成している。ヘッド部は肩部を有し、肩部はそれを貫いてチャンバと連絡するオリフィスを有する。肩部は、その周縁に隣接したところから延びる隆起を有する。この隆起は、キャップをヘッド部に取り付けたときに水の侵入をほぼ阻止する。
【０００６】
添付図面において、
図１は、本発明によるチューブ容器の等角図である。
図２は、図１の容器の上部の拡大部分正面図である。
図３は、図２の３−３線に沿った断面図である。
図４は、本発明によるチューブ容器の上面図であり、キャップをチューブ容器のヘッド部と係合した状態で示す図である。
図５は、本発明による図４のチューブ容器の拡大側面図である。
図６は、６−６線に沿った図４のチューブ容器の断面図である。
図７は、本発明のチューブ容器の別の実施例における上部の拡大部分正面図である。
【０００７】
チューブ容器の、肩部とキャップとの間の空所への水の浸入を防ぐことができるという驚くべきことがわかった。さらに、チューブをシャワーまたは浴槽で保管するときに空所に水を溜め込まないようにすることができるという驚くべきことがわかった。本発明においては、チューブ容器は肩部を有し、この肩部はその周縁に隣接したところから延びる隆起を有する。この隆起が水の浸入を実質的に阻止する。
【０００８】
図１、２および３は、本発明のチューブ容器を示しており、このチューブ容器には全体的に参照符号１０が付けてある。チューブ容器１０は、本体壁１２を有し、この本体壁１２が内部にチャンバ１４を構成している。チューブ容器１０は、ヘッド部１６も有し、このヘッド部が、肩部１８と、そこから延びるネック部２０とを有する。肩部１８は、ネック部２０と本体壁１２とをつなぎ、結合している。ヘッド部１６は、ランド部２２を有し、このランド部２２は、ネック部２０と肩部１８との境界のところに位置している。肩部１８は、その周縁（肩部１８の外縁または周縁）に隣接したところから延びる隆起２４を有する。ネック部２０は、外側ネック部２６および内側ネック部２８を有する。ネック部２０は、さらに、外側ネック部２６と内側ネック部２８をつなぎ、結合している着座部３０を有する。内側ネック部２８にはオリフィス３２が設けてあり、またこのネック部を貫いて孔３４が設けてある。オリフィス３２は、孔３４を通して副チャンバ３８およびチャンバ１４と通じている。外側ネック部２６は、雄ねじ山３６を有し、この雄ねじ山は、クロージャまたはディスペンサの雌ねじ山を受けるようになっている。
【０００９】
図４および５は、本発明の別のチューブ容器を示しており、これには全体的に参照符号４０が付けてある。このチューブ容器４０は、本体壁４２を有し、この本体壁は内部にチャンバ４４を構成している。チューブ容器４０は、ヘッド部４６も有し、このヘッド部は、肩部４８と、そこから延びるネック部５０とを有する。肩部４８は、ネック部５０と本体壁４２とをつなぎ、結合している。ヘッド部４６は、ランド部５２を有し、このランド部５２は、ネック部５０と肩部４８との境界のところに位置している。肩部４８は、その周縁（肩部４８の外縁または周縁）に隣接したところから延びる隆起５４を有する。ネック部５０は、外側ネック部５６および内側ネック部５８を有する。ネック部５０は、さらに、外側ネック部５６と内側ネック部５８をつなぎ、結合している着座部６０を有する。内側ネック部５８にはオリフィス６２が設けてあり、またこのネック部を貫いて孔６４が設けてある。オリフィス６２は、孔６４を通して副チャンバ６６およびチャンバ４４と連絡している。外側ネック部５６は、雄ねじ山６８を有し、この雄ねじ山は、クロージャ７２の雌ねじ山７０を受けるようになっている。クロージャ７２は、図５に示してある。クロージャ７２は、外側ネック部５６に螺合するベース部７６と、ストラット７５によってベース部７６に可撓的に取り付けたフリップ可能な、または、脱着可能なキャップ７４とを有する。ベース部７６は、接触縁７８を有する。この接触縁７８は、ベース部７６まわりに円周方向に延びており、隆起５４の内側に隣接して位置し、固定したベース部７６と肩部４８との間の隙間８０を通して水が侵入するのを防ぐ。
【００１０】
図７は、本発明のチューブ容器を示しており、これには全体的に参照符号９０が付けてある。チューブ容器９０は、ヘッド部９２を有する。このヘッド部９０は、肩部９４と、そこから延びるネック部９６とを有する。肩部９４は、その周縁に隣接し、そして、周縁に沿って延びる隆起９８を有する。隆起９８は、肩部９４まわりに延びてその頂部または上部に沿って波打った形状となっている。
【００１１】
チューブ容器のヘッド部にある肩部の隆起は、肩部の周縁に隣接して位置する。隆起は、ヘッド部のネック部よりも肩部の周縁に近い方が好ましい。隆起は、肩部の周縁付近で肩部まわりに連続的して延びていると好ましい。隆起は、中断していてもよいが、水の侵入をほぼ確実に防ぐことができる程度に連続して延びていなければならない。キャップをチューブ容器のヘッド部に係合させたときに、キャップの接触縁は、隆起の内側、外側いずれに位置していてもよい。隆起は、チューブ、キャップまたはヘッド部の残りの部分と同じ色であってもよいし、異なった色であってもよい。
【００１２】
チューブ容器は、押出成形または積層成形のようなこの技術分野では知られている任意の方法で製造できる。押出成形の場合、プラスチック・チューブを連続的に押し出し、個々の長さに切断する。これがチューブの本体壁を形成する。次いで、チューブ・ヘッド部をチューブ長の一端に熱溶接または溶着し、クロージャ、キャップまたはトップを取り付ける。代表的には、チューブ長の開いている反対端から、分けようとしている製品を充填し、その後、加熱手段または機械的手段によってシールする。積層成形の場合、プラスチック材料または複合材（たとえば、プラスチック／金属）のシートを管状の形状に巻き、シート縁に沿ってシールして連続したチューブを形成する。このチューブを個々の長さに切断し、ヘッド部およびキャップを取り付け、開いている端で製品を充填し、この端を押出成形チューブと同じ方法でシールする。
【００１３】
クロージャおよびヘッド部は、この技術分野で知られている任意の方法、たとえば、プラスチック材料の場合には射出成形またはスタンピングによって製造できる。射出成形が好ましい。
【００１４】
チューブ容器は、この技術分野で知られた任意のプラスチック材料から製造できる。代表的なプラスチック材料としては、エチレン・ポリマー、プロピレン・ポリマー、ポリエステル類およびポリアミド類がある。有用なエチレン・ポリマーとしては、低密度ポリエチレン、中密度ポリエチレン、高密度ポリエチレンおよび直鎖状低密度ポリエチレンがある。有用なプロピレン・ポリマーは、ポリプロピレンである。有用なポリエステル類としては、ポリエチレンテレフタレートがある。好ましいプラスチック材料は、低密度のポリエチレンおよびポリプロピレンである。
【００１５】
ここで、上記の説明が本発明を例示するに過ぎないことは了解されたい。当業者であれば、本発明から逸脱することなく種々の代替および修正を工夫できる。したがって、本発明は、特許請求の範囲内に含まれるすべての代替、修正、変更を含むと考えられる。
【図面の簡単な説明】
【００１６】
【図１】本発明によるチューブ容器の等角図。
【図２】図１の容器の上部の拡大部分正面図。
【図３】図２の３−３線に沿った断面図。
【図４】本発明によるチューブ容器の上面図であり、キャップをチューブ容器のヘッド部と係合した状態で示す図。
【図５】本発明による図４のチューブ容器の拡大側面図。
【図６】６−６線に沿った図４のチューブ容器の断面図。
【図７】本発明のチューブ容器の別の実施例における上部の拡大部分正面図。
【図１】
2005514274.tif 000003
【図２】
2005514274.tif 000004
【図３】
2005514274.tif 000005
【図４】
2005514274.tif 000006
【図５】
2005514274.tif 000007
【図６】
2005514274.tif 000008
【図７】
2005514274.tif 000009
【国際調査報告】
2005514274.tif 000010